(57)【要約】【課題】コンテンツ等を正常に読み出すことができない状況におけるデータ記録処理の実行を防止する。【解決手段】光ディスク装置１は、再生許可情報を読み出し、コンテンツ等が再生許可状態にあるか否かを判定する再生許可情報判定部２２と、データ記録処理の実行許否を判定するデータ記録判定部２３と、データ記録処理を実行するデータ記録実行部２４と、を備える。データ記録判定部２３は、コンテンツ等が再生許可状態にあると判定された場合に、データ記録処理の実行を許可する。【選択図】図１
2013251030.tif 000002
【特許請求の範囲】
【請求項１】
再生専用領域と記録可能領域とを含む情報記録媒体に対して情報の記録または再生を行うことが可能な記録再生装置であって、
上記再生専用領域に存在する、当該再生専用領域に記録されたコンテンツまたはソフトウェアの再生許可または不許可を示す再生許可情報を読み出し、当該コンテンツまたはソフトウェアが再生許可状態にあるか否かを判定する再生許可情報判定手段と、
上記再生許可情報判定手段による判定結果に基づいて、上記記録可能領域のユーザデータ記録領域へのデータ記録処理の実行許否を判定するデータ記録判定手段と、
上記データ記録判定手段による判定結果に基づいて、上記記録可能領域のユーザデータ記録領域へのデータ記録処理を実行するデータ記録実行手段と、を備え、
上記データ記録判定手段は、上記再生許可情報判定手段によって、上記コンテンツまたはソフトウェアが再生許可状態にあると判定された場合に、上記データ記録実行手段による上記データ記録処理の実行を許可することを特徴とする記録再生装置。
【請求項２】
上記データ記録実行手段による上記データ記録処理の実行を指示するデータ記録指示手段を備え、
上記データ記録判定手段は、さらに、上記データ記録指示手段から上記データ記録処理の実行指示を受信した場合に、上記データ記録実行手段による上記データ記録処理の実行を許可することを特徴とする請求項１に記載の記録再生装置。
【請求項３】
ユーザ操作を取得可能な操作部を備え、
上記データ記録指示手段は、上記操作部を介してデータ記録実行命令を受け取ったときに、上記データ記録判定手段に上記実行指示を送信することを特徴とする請求項２に記載の記録再生装置。
【請求項４】
上記データ記録判定手段は、上記再生許可情報判定手段によって、上記コンテンツまたはソフトウェアが再生不許可状態であると判定された場合に、上記データ記録実行手段による上記データ記録処理が実行不可であることを示すメッセージを出力させることを特徴とする請求項１から３のいずれか１項に記載の記録再生装置。
【請求項５】
再生専用領域と記録可能領域とを含む情報記録媒体に対して情報の記録または再生を行うことが可能な記録再生装置の制御方法であって、
上記再生専用領域に存在する、当該再生専用領域に記録されたコンテンツまたはソフトウェアの再生許可または不許可を示す再生許可情報を読み出し、当該コンテンツまたはソフトウェアが再生許可状態にあるか否かを判定する再生許可情報判定ステップと、
上記再生許可情報判定ステップにおける判定結果に基づいて、上記記録可能領域のユーザデータ記録領域へのデータ記録処理の実行許否を判定するデータ記録判定ステップと、
上記データ記録判定ステップにおける判定結果に基づいて、上記記録可能領域のユーザデータ記録領域へのデータ記録処理を実行するデータ記録実行ステップと、を含み、
上記データ記録判定ステップでは、上記再生許可情報判定ステップにおいて上記コンテンツまたはソフトウェアが再生許可状態にあると判定された場合に、上記データ記録実行ステップにおける上記データ記録処理の実行を許可することを特徴とする記録再生装置の制御方法。
【発明の詳細な説明】
【技術分野】
【０００１】
本発明は、再生専用領域と記録可能領域とを含む情報記録媒体に対して情報の記録または再生を行うことが可能な記録再生装置などに関するものである。
【背景技術】
【０００２】
近年、大容量の情報記録媒体としてＢＤ（Blu-ray Disc；登録商標）に市販されている。このＢＤとしては、再生専用層で構成されるＢＤ−ＲＯＭ（Read Only Memory）ディスクと、記録可能層で構成されるＢＤ−ＲＥ（RE-writable）ディスクおよびＢＤ−Ｒ（Recordable）ディスクとが挙げられる。
【０００３】
ＢＤ−ＲＯＭディスクの場合、再生専用層に、例えばコンテンツデータ等が記録された状態で市販される。このようなＢＤ−ＲＯＭディスクの一例として、例えば特許文献１が挙げられる。
【０００４】
特許文献１のＢＤ−ＲＯＭディスクには、データ領域に暗号化して記録されたメインデータ（コンテンツ）を解読するための複写防止情報が反復記録されているか、または、ウォーブルピットでエンコーディングされて記録されている。これにより、データ再生の信頼性を向上させることができ、コンテンツが不法に他の情報記録媒体に複写されて再生されるのを防止することができる。
【０００５】
また、上記ＢＤ−ＲＥディスク、および、上記ＢＤ−Ｒディスクでは、一般に、ディスク上の欠陥箇所に対する交替処理が行われる。その交替処理で用いられる情報記録媒体の一例として、例えば特許文献２が挙げられる。また、上記ＢＤ−ＲＥディスク、および、上記ＢＤ−Ｒディスクでは、一般に、記録光のパワー（記録パワー）を変更して試し書きを行い、その試し書きによる再生特性に基づいて最適な記録パワーの決定がなされる（ＯＰＣ（Optimum Power Control）処理）。このような処理を行う情報記録装置の一例として特許文献３が挙げられる。
【先行技術文献】
【特許文献】
【０００６】
【特許文献１】特開２００８−２７５７６号公報（２００８年２月  ７日公開）
【特許文献２】特開２０１１−１４２１１号公報（２０１１年１月２０日公開）
【特許文献３】特開２０１１−１８７１２１号公報（２０１１年９月２２日公開）
【発明の概要】
【発明が解決しようとする課題】
【０００７】
しかしながら、特許文献１に開示された情報記録媒体はＢＤ−ＲＯＭディスクであり、特許文献２に開示された情報記録媒体は、それぞれＢＤ−ＲＥディスクおよびＤＶＤ−Ｒ（Recordable）ディスクである。特許文献１では、ＢＤ−ＲＯＭディスク、すなわち情報再生専用のディスクゆえ、記録再生装置によって、複写防止情報が読み出され、コンテンツの再生可否判断が行われる。一方、特許文献２および３では、ＢＤ−ＲＥディスク、すなわち情報記録可能なディスクゆえ、記録再生装置によって、当該ディスクの管理情報を記録するというフォーマット処理が行われることにより、欠陥箇所があっても交替領域へのデータの記録が可能となっている。また、特許文献３も、特許文献２と同様、ＤＶＤ−Ｒディスクといった情報記録可能なディスクゆえ、記録再生装置によって、ＯＰＣ処理が行われた後、データの記録が行われる。
【０００８】
すなわち、特許文献１〜３に開示された技術のそれぞれは、情報再生専用のディスクまたは情報記録可能なディスクゆえに発生する処理である。このため、特許文献１〜３には、記録再生装置が、ＲＯＭ層およびＲＥ層を併せ持つハイブリッドディスクに対して、ＲＯＭ層に記録されたコンテンツの再生可否と、ＲＥ層へのデータの記録という２つの処理をどのように行うかについては、当然ながら開示されていない。すなわち、上記ＲＯＭ層のコンテンツ再生と、ＲＥ層へのデータ記録という処理を適切なタイミングで行うといった技術は、ハイブリッドディスクだからこそ生じる技術的思想であって、上記のような従来技術から当該技術を想到することは困難であった。
【０００９】
本発明は、上記の問題を解決するためになされたもので、その目的は、再生専用領域のコンテンツまたはソフトウェアを正常に読み出すことができない状況における記録可能領域へのデータ記録処理を確実に防止することが可能な記録再生装置および記録再生装置の制御方法を提供することにある。
【課題を解決するための手段】
【００１０】
本発明に係る記録再生装置は、上記の課題を解決するために、
再生専用領域と記録可能領域とを含む情報記録媒体に対して情報の記録または再生を行うことが可能な記録再生装置であって、
上記再生専用領域に存在する、当該再生専用領域に記録されたコンテンツまたはソフトウェアの再生許可または不許可を示す再生許可情報を読み出し、当該コンテンツまたはソフトウェアが再生許可状態にあるか否かを判定する再生許可情報判定手段と、
上記再生許可情報判定手段による判定結果に基づいて、上記記録可能領域のユーザデータ記録領域へのデータ記録処理の実行許否を判定するデータ記録判定手段と、
上記データ記録判定手段による判定結果に基づいて、上記記録可能領域のユーザデータ記録領域へのデータ記録処理を実行するデータ記録実行手段と、を備え、
上記データ記録判定手段は、上記再生許可情報判定手段によって、上記コンテンツまたはソフトウェアが再生許可状態にあると判定された場合に、上記データ記録実行手段による上記データ記録処理の実行を許可することを特徴としている。
【００１１】
また、本発明に係る記録再生装置の制御方法は、上記の課題を解決するために、
再生専用領域と記録可能領域とを含む情報記録媒体に対して情報の記録または再生を行うことが可能な記録再生装置の制御方法であって、
上記再生専用領域に存在する、当該再生専用領域に記録されたコンテンツまたはソフトウェアの再生許可または不許可を示す再生許可情報を読み出し、当該コンテンツまたはソフトウェアが再生許可状態にあるか否かを判定する再生許可情報判定ステップと、
上記再生許可情報判定ステップにおける判定結果に基づいて、上記記録可能領域のユーザデータ記録領域へのデータ記録処理の実行許否を判定するデータ記録判定ステップと、
上記データ記録判定ステップにおける判定結果に基づいて、上記記録可能領域のユーザデータ記録領域へのデータ記録処理を実行するデータ記録実行ステップと、を含み、
上記データ記録判定ステップでは、上記再生許可情報判定ステップにおいて上記コンテンツまたはソフトウェアが再生許可状態にあると判定された場合に、上記データ記録実行ステップにおける上記データ記録処理の実行を許可することを特徴としている。
【００１２】
上記構成および方法によれば、再生許可情報判定手段（再生許可情報判定ステップ）は、情報の記録および／または再生対象である情報記録媒体の再生専用領域に記録されたコンテンツまたはソフトウェアの再生許可または不許可を示す再生許可情報を読み出し、当該コンテンツまたはソフトウェアが再生許可状態にあるか否かを判定する。データ記録判定手段（データ記録判定ステップ）は、再生許可情報判定手段によって、コンテンツまたはソフトウェアが再生許可状態にあると判定された場合に、データ記録実行手段（データ記録実行ステップ）によるデータ記録処理の実行を許可する。データ記録実行手段は、この許可が与えられることにより、記録可能領域のユーザデータ記録領域へのデータ記録処理を実行する。
【００１３】
換言すれば、再生許可情報判定手段によって、コンテンツまたはソフトウェアの再生許可を示す再生許可情報が読み出された場合には、コンテンツまたはソフトウェアが再生許可状態にあると判定され、ユーザデータ記録領域へのデータ記録処理の実行が可能となる。一方で、再生許可情報判定手段によって、コンテンツまたはソフトウェアの再生不許可を示す再生許可情報が読み出された場合、および、再生許可情報の読み出しができなかった場合には、コンテンツまたはソフトウェアが再生不許可状態にあると判定され、ユーザデータ記録領域へのデータ記録処理は実行されない。
【００１４】
そのため、再生専用領域に記録されたコンテンツまたはソフトウェアの再生が許可されていない不正な情報記録媒体のユーザデータ記録領域へのデータ記録処理の実行を確実に防止することができる。さらに、再生許可情報の読み出しができないような、再生不良となっている情報記録媒体のユーザデータ記録領域へのデータ記録処理の実行を確実に防止することができる。
【００１５】
それゆえ、本発明の記録再生装置およびその制御方法によれば、再生専用領域のコンテンツまたはソフトウェアを正常に読み出すことができない状況におけるユーザデータ記録領域へのデータ記録処理の実行を確実に防止することができる。
【００１６】
さらに、本発明に係る記録再生装置では、
上記データ記録実行手段による上記データ記録処理の実行を指示するデータ記録指示手段を備え、
上記データ記録判定手段は、さらに、上記データ記録指示手段から上記データ記録処理の実行指示を受信した場合に、上記データ記録実行手段による上記データ記録処理の実行を許可することが好ましい。
【００１７】
上記構成によれば、データ記録判定手段は、再生許可情報判定手段によってコンテンツまたはソフトウェアが再生許可状態にあると判定され、かつ、データ記録指示手段からデータ記録処理の実行指示を受信した場合に、データ記録実行手段によるデータ記録処理の実行を許可する。
【００１８】
この場合、データ記録処理の実行指示があっても、再生許可情報判定手段の判定結果を受けるまでデータ記録処理が実行されない。それゆえ、不正な、または再生不良の情報記録媒体へのデータ記録処理の実行指示を受信した場合でも、当該情報記録媒体へのデータ記録処理の実行を確実に防止することができる。
【００１９】
さらに、本発明に係る記録再生装置では、
ユーザ操作を取得可能な操作部を備え、
上記データ記録指示手段は、上記操作部を介してデータ記録実行命令を受け取ったときに、上記データ記録判定手段に上記実行指示を送信することが好ましい。
【００２０】
上記構成によれば、ユーザからのデータ記録実行命令を受け取ったタイミングで、データ記録判定手段にデータ記録処理の実行指示を送信することができる。
【００２１】
さらに、本発明に係る記録再生装置では、
上記データ記録判定手段は、上記再生許可情報判定手段によって、上記コンテンツまたはソフトウェアが再生不許可状態であると判定された場合に、上記データ記録実行手段による上記データ記録処理が実行不可であることを示すメッセージを出力させることが好ましい。
【００２２】
上記構成によれば、データ記録処理が実行されないことをユーザに通知し、認識させることができる。
【発明の効果】
【００２３】
本発明に係る記録再生装置は、以上のように、上記再生専用領域に存在する、当該再生専用領域に記録されたコンテンツまたはソフトウェアの再生許可または不許可を示す再生許可情報を読み出し、当該コンテンツまたはソフトウェアが再生許可状態にあるか否かを判定する再生許可情報判定手段と、上記再生許可情報判定手段による判定結果に基づいて、上記記録可能領域のユーザデータ記録領域へのデータ記録処理の実行許否を判定するデータ記録判定手段と、上記データ記録判定手段による判定結果に基づいて、上記記録可能領域のユーザデータ記録領域へのデータ記録処理を実行するデータ記録実行手段と、を備え、上記データ記録判定手段は、上記再生許可情報判定手段によって、上記コンテンツまたはソフトウェアが再生許可状態にあると判定された場合に、上記データ記録実行手段による上記データ記録処理の実行を許可する構成である。
【００２４】
また、本発明に係る記録再生装置の制御方法は、以上のように、上記再生専用領域に存在する、当該再生専用領域に記録されたコンテンツまたはソフトウェアの再生許可または不許可を示す再生許可情報を読み出し、当該コンテンツまたはソフトウェアが再生許可状態にあるか否かを判定する再生許可情報判定ステップと、上記再生許可情報判定ステップにおける判定結果に基づいて、上記記録可能領域のユーザデータ記録領域へのデータ記録処理の実行許否を判定するデータ記録判定ステップと、上記データ記録判定ステップにおける判定結果に基づいて、上記記録可能領域のユーザデータ記録領域へのデータ記録処理を実行するデータ記録実行ステップと、を含み、上記データ記録判定ステップでは、上記再生許可情報判定ステップにおいて上記コンテンツまたはソフトウェアが再生許可状態にあると判定された場合に、上記データ記録実行ステップにおける上記データ記録処理の実行を許可する方法である。
【００２５】
それゆえ、本発明の記録再生装置およびその制御方法によれば、再生専用領域のコンテンツまたはソフトウェアを正常に読み出すことができない状況における記録可能領域のユーザデータ記録領域へのデータ記録処理の実行を確実に防止することができる。
【図面の簡単な説明】
【００２６】
【図１】本発明の一実施形態に係る光ディスク装置が備える制御部の構成の一例を示す機能ブロック図である。
【図２】本発明の一実施形態に係る光ディスク装置の全体的な概略構成の一例を示す図である。
【図３】本発明の一実施形態に係る光ディスク装置によって再生または記録処理を行うことが可能な光ディスクの概略構成の一例を示す図である。
【図４】（ａ）および（ｂ）は、本発明の一実施形態に係る光ディスク装置における処理の一例を示すフローチャートである。
【図５】図４に示すフローチャートの再生許可判定処理の一例を示すフローチャートである。
【図６】図４に示すフローチャートのデータ記録判定処理の一例を示すフローチャートである。
【発明を実施するための形態】
【００２７】
以下、本発明の一実施の形態について、図面を参照しながら説明する。説明の便宜上、図面に示した部材と同一の機能を有する部材については、同一の符号を付し、その説明を省略する。
【００２８】
〔光ディスク装置１の概略構成〕
まず、図２に基づき、本発明の一実施形態である光ディスク装置１（記録再生装置）の全体的な概略構成について説明する。図２は、光ディスク装置１の全体的な概要構成を示すブロック図である。
【００２９】
図示のように、光ディスク装置１は、ＤＶＤ、ＢＤなどの光ディスク１００（情報記録媒体）に対して情報の記録または再生を行うことが可能なものであり、主として、格納部３、表示部４、ディスク装填認識部６、操作部７、記録再生回路群１０、光ピックアップ１２および制御部２０を備えている。また、記録再生回路群１０は、主として、ピックアップ駆動回路１３、レーザ駆動回路１４および再生回路１５を備えている。
【００３０】
光ディスク装置１では、回転する光ディスク１００の図示しないトラックへ、制御部２０がピックアップ駆動回路１３を介して光ピックアップ１２を移動させるようになっている。
【００３１】
光ピックアップ１２には、光ヘッド１１が設けられている。そして、制御部２０がレーザ駆動回路１４を介して記録条件を設定し、光ヘッド１１から記録用のレーザビームを光ディスク１００の記録部位に照射することによって、光ディスク１００のトラックに情報が記録されるようになっている。
【００３２】
また、光ディスク装置１では、制御部２０がピックアップ駆動回路１３を介して光ピックアップ１２を光ディスク１００の記録部位へ移動させる。そして、制御部２０がレーザ駆動回路１４を介して再生条件を設定し、光ヘッド１１から再生用のレーザビームを光ディスク１００に照射するようになっている。
【００３３】
光ヘッド１１が検出した反射光は、再生回路１５にて再生信号に変換され、制御部２０に入力される。これにより、光ディスク装置１は、光ディスク１００のトラック（複数のセクタからなる）に記録された情報を再生するようになっている。
【００３４】
また、ディスク装填認識部６は、光ディスク１００の装填を検出するためのものであり、例えば、各種センサが例示できるが、光ディスク１００の装填を検出できるものであれば、どのようなセンサを用いてもよい。また、ディスク装填認識部６は、検出した結果を検出信号として制御部２０へ出力するようになっている。
【００３５】
また、表示部４は、制御部２０に制御されることにより、例えば光ディスク１００のユーザデータ記録領域１０２ｃ（後述）へのデータ（情報）記録処理が実行不可であることを示すメッセージを含む画像を表示するなど、光ディスク装置１の制御に必要な情報を表示する。表示部４は、例えば液晶パネルにより構成されているが、これに限らず、有機ＥＬ（Electro Luminescence）パネルなどが用いられていてもよい。
【００３６】
なお、表示部４とともに、または、表示部４に代えて、音声などを出力するスピーカ（不図示）などを備えていてもよく、当該スピーカを介して、上記メッセージを含む音声が出力されてもよい。すなわち、表示部４およびスピーカは、少なくとも上記メッセージを出力する提示部として機能する。
【００３７】
また、操作部７は、ユーザが、光ディスク装置１に対する各種の操作命令を入力するためのものである。すなわち、操作部７は、ユーザ操作を取得可能なものであり、例えば、操作ボタンおよびそのインターフェースなどが挙げられる。操作部７は、例えば、コンテンツまたはソフトウェア再生命令、光ディスク１００のユーザデータ記録領域１０２ｃへのデータ記録命令、フォーマット実行命令などのユーザ操作を取得する。
【００３８】
なお、表示部４などの提示部、操作部７は、光ディスク装置１が備えている必要は必ずしもなく、外部装置として実現され、光ディスク装置１と接続されていてもよい。また、格納部３および制御部２０の具体的な構成については後述する。
【００３９】
〔光ディスク１００の構成〕
次に、図３に基づき、光ディスク１００の概略構成について説明する。図３は、光ディスク装置１によって再生または記録処理を行うことが可能な光ディスク１００の概略構成の一例を示す図である。
【００４０】
なお、以下の説明において、光ディスク１００が有する層として、書き換え可能（記録可能）な記録層（情報記録層）をＲＥ（RE-writable）層と呼び、再生専用の記録層をＲＯＭ（Read Only Memory）層と呼び、追記録可能な記録層をＲ（Recordable）層と呼ぶ。
【００４１】
図示のように、光ディスク１００は、光ディスク装置１が備える光ヘッド１１から出射される光入射側から順にＲＯＭ層１０１およびＲＥ層１０２を備えたハイブリッドディスクである。図３では、光ディスク１００がＲＯＭ層１０１およびＲＥ層１０２を１層ずつ備える場合について説明するが、これに限らず、ＲＯＭ層１０１および／またはＲＥ層１０２が複数層あってもよく、これらの記録層に加えて、またはＲＥ層１０２に代えて、上記Ｒ層を備えていてもよい。また、光ディスク１００が１層からなり、ＲＯＭ層１０１およびＲＥ層１０２のそれぞれの機能を有する再生専用領域および記録可能領域を含む構成であってもよい。すなわち、光ディスク１００は、再生専用領域および記録可能領域を含む構成であればよい。
【００４２】
ＲＯＭ層１０１は、光ディスク１００の内周側から、主として、ディスク情報領域１０１ａ、管理領域１０１ｂおよびコンテンツ記録領域１０１ｃで構成されている。また、ＲＥ層１０２は、光ディスク１００の内周側から、主として、ディスク情報領域１０２ａ、管理領域１０２ｂおよびユーザデータ記録領域１０２ｃで構成されている。
【００４３】
また、光ディスク１００に形成されたトラックの方向は、全ての領域において内周側から外周側の向きとなっている。なお、このトラックの方向は、これに限らず、外周側から内周側の向きであってもよく、領域ごとに異なる向きであってもよい。
【００４４】
ディスク情報領域１０１ａ、１０２ａおよび管理領域１０１ｂ、１０２ｂは、リードイン領域に形成されている領域である。また、図示しないが、コンテンツ記録領域１０１ｃおよびユーザデータ記録領域１０２ｃの外周側には、リードアウト領域が存在する。このリードアウト領域に、上記ディスク情報領域１０１ａ、１０２ａおよび管理領域１０１ｂ、１０２ｂが設けられてもよい。
【００４５】
ディスク情報領域１０１ａ、１０２ａは、情報の書き換えが不可能な領域であり、光ディスク１００の物理的な構造を識別するための識別情報が記録されている。識別情報の具体例としては、光ディスク１００が備える記録層のタイプ（再生専用型、追記型、書き換え型）、光ディスク１００のサイズ、光ディスク１００のバージョン（速度等に関連）、サーボの極性、記録マークの極性および光ディスク１００固有の番号などが挙げられる。なお、これらの識別情報の記録順序（又は配置方法）は任意であってよく、通常、規格などによって決められている。
【００４６】
また、上記識別情報のほか、ディスク情報領域１０１ａには、ＲＯＭ層１０１の物理的な構造を識別するためのＲＯＭ層用識別情報が、ディスク情報領域１０２ａには、ＲＥ層１０２の物理的な構造を識別するためのＲＥ層用識別情報が、それぞれ記録されている。ＲＯＭ層用識別情報の具体例としては、コンテンツ記録領域１０１ｃに記録されたコンテンツまたはソフトウェアの再生条件（例えば、再生光のパワー）や、当該コンテンツまたはソフトウェアの長さ（例えば、コンテンツまたはソフトウェアの開始位置および終了位置を示すアドレス）などが挙げられる。また、ＲＥ層用識別情報の具体例としては、ユーザデータ記録領域１０２ｃに情報を記録するときの記録条件（例えば、記録光のパワー）などが挙げられる。
【００４７】
さらに、上記識別情報およびＲＯＭ層用識別情報のほか、ディスク情報領域１０１ａには、コンテンツ記録領域１０１ｃに記録されたコンテンツまたはソフトウェアの再生許可または不許可を示す再生許可情報が記録されている。この再生許可情報は、光ディスク１００に対応した駆動装置ごとの当該コンテンツまたはソフトウェアへのアクセス許否（アクセス制限）を示すものであってもよい。また、この再生許可情報には、当該コンテンツまたはソフトウェア全てが再生可能か否かだけでなく、当該コンテンツまたはソフトウェアのどの部分が再生可能か否かといった情報も含まれていてもよい。
【００４８】
ディスク情報領域１０１ａ、１０２ａには、上記のように、光ディスク１００に対する再生または記録時に必要となる情報が記録されている。このため、これらの領域は、光ディスク１００が駆動装置（例えば、光ディスク装置１）に装填されたときに再生光が照射されるよう、光ヘッド１１をアクセスさせる領域であり、また、各層に対する処理を行うときにもその処理の前に再生光が照射される領域である。
【００４９】
管理領域１０１ｂは、ディスク情報領域１０１ａと同様、情報の書き換えが不可能な領域であり、ＲＯＭ層１０１（主に、コンテンツ記録領域１０１ｃに記録されたコンテンツまたはソフトウェア）の管理に関するＲＯＭ層管理情報が記録されている。ＲＯＭ層管理情報の具体例としては、光ディスク１００の製造に関するディスク特有の情報、および、ＲＯＭ層１０１に含まれる領域（ディスク情報領域１０１ａ、管理領域１０１ｂ、コンテンツ記録領域１０１ｃといった各領域の全体、または、一部）ごとの光ヘッド１１のアクセス可否を示す情報などが挙げられる。
【００５０】
また、上記のコンテンツ記録領域１０１ｃに記録されたコンテンツまたはソフトウェアの再生許可または不許可を示す再生許可情報は、管理領域１０１ｂに記録されていてもよい。この再生許可情報は、上記と同様、光ディスク１００に対応した駆動装置ごとの当該コンテンツまたはソフトウェアへのアクセス許否（アクセス制限）を示すものであってもよい。また、この再生許可情報には、当該コンテンツまたはソフトウェア全てが再生可能か否かだけでなく、当該コンテンツまたはソフトウェアのどの部分が再生可能か否かといった情報も含まれていてもよい。
【００５１】
一方、管理領域１０２ｂは、情報の書き換えが可能な領域であり、ＲＥ層１０２（主に、ユーザデータ記録領域１０２ｃ）を管理するための管理情報を記録可能な領域である。管理情報の具体例としては、光ディスク１００の欠陥箇所に対する交替箇所を管理するリスト、並びに、当該リストの配置情報および交替処理データ記録用領域の容量といった情報（ＲＥ層１０２へのフォーマット処理に必要な情報）などが挙げられる。
【００５２】
コンテンツ記録領域１０１ｃは、情報の書き換えが不可能な領域であり、ＯＳ（Operating System）などのソフトウェア（アプリケーション）およびコンテンツなど、様々な情報が記録されている領域である。例えばコンテンツ記録領域１０１ｃには、ディスクサプライヤーが用意したソフトウェアおよびコンテンツなどが予め記録されている。
【００５３】
一方、ユーザデータ記録領域１０２ｃは、ユーザが各種情報を記録することが可能で、かつ、情報の書き換えが可能な領域であり、ユーザが記録したコンテンツや、ＲＯＭ層１０１へのソフトウェアおよびコンテンツに関連する情報（例えば、コンテンツの追加情報や、ソフトウェアのバージョンアップ情報など）などの様々な情報が記録可能な領域である。
【００５４】
〔光ディスク装置１の構成〕
次に、図１に基づき、光ディスク装置１が備える制御部２０の概略構成について説明する。図１は、制御部２０の概略構成の一例を示す図である。
【００５５】
制御部２０は、主として、データ記録指示部２１（データ記録指示手段）、再生許可情報判定部２２（再生許可情報判定手段）、データ記録判定部２３（データ記録判定手段）およびデータ記録実行部２４（データ記録実行手段）を備えている。制御部２０は、例えば制御プログラムを実行することにより、光ディスク装置１を構成する部材を制御するものである。制御部２０は、格納部３に格納されているプログラムを、例えばＲＡＭ（Random Access Memory）等で構成される一時記憶部（不図示）に読み出して実行することにより、コンテンツまたはソフトウェア再生許否の判定、データ記録処理の実行許否の判定、データ記録処理の実行、表示部４への表示制御等の各種処理を行う。
【００５６】
データ記録指示部２１は、データ記録実行部２４によるデータ記録処理の実行を指示するものであり、データ記録判定部２３にデータ記録処理の実行を指示するための実行指示を送信する。
【００５７】
データ記録指示部２１は、例えば、操作部７を介してデータ記録実行命令を受け取ったときに、データ記録判定部２３に上記実行指示を送信する。この場合には、ユーザからのデータ記録実行命令を受け取ったタイミングで、データ記録判定部２３にデータ記録処理の実行指示を送信することができる。
【００５８】
上記データ記録実行命令とは、例えば、光ディスク１００の装填をトリガーとして、データ記録指示部２１が表示部４に「コンテンツの記録を行いますか？」という問い合わせを表示させたときに、ユーザが操作部７を介して入力する「コンテンツの記録を行う」という回答（「ＹＥＳ」の回答）を指す。または、操作部７の１つとして、光ディスク装置１を遠隔制御可能なリモコンの記録ボタンで実現されている場合には、例えば、上記問い合わせへの回答ではなく、当該記録ボタンへの押下操作によるものであってもよい。すなわち、当該記録ボタンの押下をトリガーとして、データ記録判定部２３に上記実行指示を送信されてもよい。
【００５９】
その他、データ記録指示部２１は、図示しないホスト（例えば光ディスク装置１を備えるＰＣなど）からの指示を受信したときに、上記実行指示を送信してもよい。
【００６０】
再生許可情報判定部２２は、ディスク情報領域１０１ａに存在する、コンテンツ記録領域１０１ｃに記録されたコンテンツまたはソフトウェアの再生許可または不許可を示す再生許可情報を読み出し、当該コンテンツまたはソフトウェアが再生許可状態にあるか否かを判定するものである。具体的には、再生許可情報判定部２２は、再生許可情報を読み出し、当該再生許可情報がコンテンツまたはソフトウェアの再生許可を示していることを確認した場合には、当該コンテンツまたはソフトウェアが再生許可状態にあると判定する。一方、コンテンツまたはソフトウェアの再生不許可を示す再生許可情報を読み出した場合、および、再生許可情報の読み出しができなかった場合には、当該コンテンツまたはソフトウェアが再生不許可状態にあると判定する。
【００６１】
再生許可情報判定部２２は、上記の判定結果を判定情報Ａとして、データ記録判定部２３に送信する。
【００６２】
データ記録判定部２３は、再生許可情報判定部２２による判定結果に基づいて、ＲＥ層１０２へのデータ記録処理の実行許否を判定する。データ記録判定部２３は、再生許可情報判定部２２によって、コンテンツ記録領域１０１ｃのコンテンツまたはソフトウェアが再生許可状態にあると判定された場合には、当該再生許可状態であることを示す判定情報Ａを再生許可情報判定部２２から受信する。データ記録判定部２３は、この判定情報Ａを受信すると、データ記録実行部２４によるデータ記録処理の実行を許可するための実行許可信号を、データ記録実行部２４に送信する。
【００６３】
換言すれば、データ記録判定部２３は、再生許可情報判定部２２によって、コンテンツ記録領域１０１ｃのコンテンツまたはソフトウェアが再生不許可状態にあると判定された場合には、上記実行許可信号を送信しないので、データ記録実行部２４によるデータ記録処理は実行されない。
【００６４】
そのため、再生許可情報がコンテンツまたはソフトウェアの再生不許可を示している場合には、装填されている光ディスク１００を不正な光ディスク１００であると判断して、当該光ディスク１００のユーザデータ記録領域１０２ｃへのデータ記録処理の実行を確実に防止することができる。また、ＲＯＭ層１０１から再生許可情報を読み出すことができない場合には、装填されている光ディスク１００を、ＲＯＭ層１０１が再生不良である光ディスク１００であると判断して、上記と同様、当該光ディスク１００のユーザデータ記録領域１０２ｃへのデータ記録処理の実行を確実に防止することができる。
【００６５】
さらに、本実施の形態では、データ記録判定部２３は、上記再生許可状態であることを示す判定情報Ａの受信に加え、さらに、データ記録指示部２１から上記実行指示を受信した場合に、データ記録実行部２４によるデータ記録処理の実行を許可する。
【００６６】
この構成により、データ記録処理の実行指示があっても、再生許可情報判定部２２の判定結果を受けるまでデータ記録処理が実行されない。それゆえ、不正な、または再生不良の光ディスク１００のユーザデータ記録領域１０２ｃへのデータ記録処理の実行指示を受信した場合でも、当該光ディスク１００のユーザデータ記録領域１０２ｃへのデータ記録処理の実行を確実に防止することができる。
【００６７】
また、データ記録処理の実行許否が再生許可情報判定部２２による判定に基づいて決定されるため、データ記録指示部２１からの実行指示があっても、再生許可情報判定部２２の判定により、装填されている光ディスク１００が不正な、または再生不良の光ディスク１００であると判断された場合には、データ記録処理が実行されることはない。
【００６８】
なお、上記再生許可状態であることを示す再生許可情報の受信のみをデータ記録処理の実行許可のトリガーとしてもよい。すなわち、この場合には、データ記録判定部２３は、データ記録指示部２１からの実行指示を待たずに上記データ記録処理の実行許可を判定してもよく、また、データ記録指示部２１を必ずしも備えている必要はない。
【００６９】
また、データ記録判定部２３は、再生許可情報判定部２２によって上記再生不許可状態であると判定された場合には、データ記録実行部２４によるデータ記録処理が実行不可であることを示すメッセージを、表示部４（および／またはスピーカ）を介して出力させる。これにより、データ記録処理が実行されないことをユーザに通知し、認識させることができる。なお、このメッセージは、「光ディスク１００の再生は不可である」または「データ記録処理の実行不可である」というものであってもよい。
【００７０】
データ記録実行部２４は、データ記録判定部２３による判定結果に基づいて、ＲＥ層１０２のユーザデータ記録領域１０２ｃへのデータ記録処理を実行する。実際には、データ記録実行部２４は、データ記録判定部２３から実行許可信号を受信した場合に、記録再生回路群１０のレーザ駆動回路１４を制御して、光ピックアップ１２を管理領域１０２ｂに移動させ、光ヘッド１１から記録光を照射することにより、ユーザデータ記録領域１０２ｃへのデータ記録処理を実行する。
【００７１】
また、格納部３は、制御部２０が実行する（１）各部の制御プログラム、（２）ＯＳプログラム、（３）アプリケーションプログラム、および、（４）これらプログラムを実行するときに読み出す各種データを記録するものである。制御部２０は、例えばＲＯＭ（Read Only Memory）フラッシュメモリなどの不揮発性の記憶装置によって構成されるものである。なお、上述した一時記憶部は、ＲＡＭなどの揮発性の記憶装置によって構成されているが、本実施の形態では、格納部３が一時記憶部の機能も備えているものとして説明する場合もある。
【００７２】
〔光ディスク装置１における処理の流れ〕
次に、図４〜図６に基づき、光ディスク装置における処理の流れについて説明する。図４は、その処理の一例を示すフローチャートである。また、図５は、図４に示す「再生許可判定」処理の一例を示すフローチャートであり、図６は、図４に示す「データ記録判定」処理の一例を示すフローチャートである。
【００７３】
なお、図４の処理の前提として、光ディスク１００が光ディスク装置１に装填され、ディスク装填認識部６が、装填された光ディスク１００を検出しているものとする。また、光ディスク１００のコンテンツ記録領域１０１ｃには、コンテンツが記録されているものとして説明する。
【００７４】
＜全体的な処理＞
図４（ａ）では、再生許可情報判定部２２は、ディスク装填認識部６によって光ディスク１００が装填されたことを示す検出信号を受信したとき、または、操作部７を介してのユーザ指示を受信したときに、光ディスク１００のＲＯＭ層１０１に記録されたコンテンツの再生許否を判定し（Ｓ１：再生許可判定）、その判定結果を判定情報Ａとしてデータ記録判定部２３に送信する。なお、「再生許可判定」処理については、図５を用いて後述する。
【００７５】
次に、データ記録指示部２１がデータ記録処理の実行を指示するための実行指示をデータ記録判定部２３に送信する（Ｓ２）。この場合、例えば、データ記録判定部２３が上記判定情報Ａを受信したことを受けて、データ記録指示部２１は、操作部７を介してデータ記録実行命令を受け取っているか否かを確認する。そして、データ記録実行命令を受け取っている場合には、上記実行指示をデータ記録判定部２３に送信する。
【００７６】
データ記録判定部２３は、上記判定情報Ａおよび実行指示を受信すると、データ記録処理の実行許否を判定するための処理を行い（Ｓ３：データ記録判定）、当該実行許否を判定する（Ｓ４）。なお、「データ記録判定」処理については、図６を用いて後述する。
【００７７】
データ記録判定部２３は、上記判定の結果、データ記録処理の実行を許可すると判定した場合には（Ｓ４でＹＥＳ）、データ記録実行部２４に実行許可信号を送信する。データ記録実行部２４は、この実行許可信号を受信すると、ユーザデータ記録領域１０２ｃへのデータ記録処理を実行する（Ｓ５）。
【００７８】
一方、データ記録判定部２３は、上記判定の結果、データ記録処理の実行を許可しないと判定した場合には（Ｓ４でＮＯ）、データ記録処理が実行不可であることを示すメッセージを含む画像を、表示部４に表示させる（Ｓ６）。
【００７９】
また、図４（ａ）の処理に代えて、図４（ｂ）の処理が行われてもよい。図４（ｂ）の処理は、図４（ａ）のＳ１およびＳ２の処理順序が逆になった点が図４（ａ）の処理と異なるのみである。
【００８０】
すなわち、図４（ｂ）では、Ｓ１１において、データ記録指示部２１は、例えば、ディスク装填認識部６によって光ディスク１００が装填されたことを示す検出信号を受信し、かつ、操作部７を介してデータ記録実行命令を受信したときに、上記実行信号をデータ記録判定部２３に送信する。そして、データ記録判定部２３がデータ記録指示部２１から上記実行指示を受信したことを受けて、Ｓ１２において、再生許可情報判定部２２による「再生許可判定」処理が行われる。
【００８１】
それ以降のＳ１３〜Ｓ１６の各処理は、図４（ａ）のＳ３〜Ｓ６と同じゆえ、説明を省略する。
【００８２】
なお、Ｓ１およびＳ２（Ｓ１１およびＳ１２）の処理は、同時に行われてもよい。また、再生許可情報によってのみデータ記録処理の実行許否が判定される場合には、Ｓ２およびＳ１１の処理は必ずしも行われなくてよい。これは、後述する図６のＳ３１の処理も同様である。
【００８３】
＜再生許可判定＞
次に、図４のＳ１、Ｓ１２に示す「再生許可判定」処理の一例について説明する。
【００８４】
図５に示すように、再生許可情報判定部２２は、ＲＯＭ層１０１へアクセスする（Ｓ２１）。すなわち、再生許可情報判定部２２は、記録再生回路群１０のピックアップ駆動回路１３を制御して光ピックアップ１２をディスク情報領域１０１ａに移動させ、ディスク情報領域１０１ａを再生する。そして、その再生結果を、再生回路１５を介して受信することにより、ディスク情報領域１０１ａに再生許可情報が記録されているか否かを確認する（Ｓ２２）。
【００８５】
再生許可情報判定部２２は、再生許可情報を読み出し、コンテンツの再生許可を示す再生許可情報が検出できた場合には（Ｓ２２でＹＥＳ）、判定情報Ａを１に設定する（Ｓ２３）。一方、コンテンツの再生許可を示す再生許可情報、または、再生許可情報自体を検出できなかった場合には（Ｓ２２でＮＯ）、判定情報Ａを０に設定する（Ｓ２４）。そして、判定情報Ａをデータ記録判定部２３に送信して（Ｓ２５）、「再生許可判定」処理は終了となる。
【００８６】
＜データ記録判定＞
次に、図４のＳ３、Ｓ１３に示す「データ記録判定」処理の一例について説明する。なお、Ｓ３１およびＳ３２の処理は逆順でも、並行処理であってもよい。
【００８７】
図６に示すように、データ記録判定部２３は、データ記録指示部２１から上記実行指示を受信したか否かを確認し（Ｓ３１）、当該実行指示を受信している場合には（Ｓ３１でＹＥＳ）、判定情報Ａが１に設定されているかを判定する（Ｓ３２）。そして、判定情報Ａが１に設定されていた場合には（Ｓ３２でＹＥＳ）、「データ記録処理の実行許可」という判定がなされる（Ｓ３３）。この場合には、図４のＳ４、１４において、データ記録実行部２４への実行許可信号の送信が決定される。
【００８８】
一方、上記実行指示を受信していない場合（Ｓ３１でＮＯ）、または、上記実行信号を受信していても（すなわち、Ｓ３１でＹＥＳであっても）判定情報Ａに１が設定されていない（判定情報Ａ＝０）場合（Ｓ３２でＮＯ）には、「データ記録処理の実行不許可」という判定がなされる（Ｓ３４）。この場合には、図４のＳ４、１４において、表示部４への上記メッセージを含む画像の表示が決定される。
【００８９】
〔まとめ〕
以上のように、データ記録判定部２３は、再生許可情報判定部２２によって、ＲＯＭ層１０１のコンテンツまたはソフトウェアが再生許可状態にあると判定された場合に、データ記録実行部２４によるデータ記録処理の実行を許可するので、上述したように、ＲＯＭ層１０１のコンテンツまたはソフトウェアを正常に読み出すことができない状況におけるユーザデータ記録領域１０２ｃへのデータ記録処理の実行を確実に防止することができる。
【００９０】
また、一般に、光ディスク１００に情報を記録するときのレーザパワーは、情報を再生するときのレーザパワーよりも高くなる。光ディスク装置１では、上記のように、ＲＯＭ層１０１のコンテンツまたはソフトウェアを正常に読み出すことができない場合にはデータ記録処理を実行しないので、そのような高いレーザパワーを出射することを防止できる。
【００９１】
さらに、光ディスク装置１およびその制御方法によれば、以下のような課題も解決できる。
【００９２】
すなわち、光ディスク１００から、コンテンツまたはソフトウェアの再生許可を示す再生許可情報が検出できない場合には、ＲＯＭ層１０１のコンテンツ記録領域１０１ｃにアクセスできない。そのため、ユーザの待ち時間が長くならないよう、その判断は早くなされるべきである。
【００９３】
一方、例えば、ユーザの操作を受け付けたとき、または、ネットワークを介してサーバからバージョンアップ情報を受信したときには、ユーザデータ記録領域１０２ｃへのデータ記録処理が実行される。実際には、その前処理として、ＲＥ層１０２へのフォーマット処理およびＯＰＣ処理が行われるゆえ、それらの処理の実行のために、ユーザの待ち時間が発生する。
【００９４】
ＲＯＭ層１０１とＲＥ層１０２とを併せ持つ光ディスク１００のようなハイブリッドディスクでは、ＲＯＭ層１０１に記録されたコンテンツの再生可否と、ＲＥ層１０２へのデータの記録という２つの処理順序が決められていなかった。このため、例えば、先にユーザデータ記録領域１０２ｃへのデータ記録処理がなされる場合には、その前処理として、ＲＥ層１０２へのフォーマット処理およびＯＰＣ処理が行われるゆえ、そのフォーマット処理およびＯＰＣ処理の処理時間を待つことになる。
【００９５】
また、上記再生許可を示す再生許可情報が存在しなければ、そもそも光ディスク装置１において、光ディスク１００に記録されたコンテンツまたはソフトウェアを再生できない。一般に、ＲＥ層１０２への情報記録は、ＲＯＭ層１０１に記録されたコンテンツまたはソフトウェアに関連する情報の記録であるため、上記再生許可を示す再生許可情報が検出できない光ディスク１００のＲＥ層１０２への情報の記録は許可されるべきでない。この点を考慮すれば、コンテンツまたはソフトウェアを再生できない光ディスク１００の場合、上記再生許可を示す再生許可情報の存在の確認よりも、ユーザデータ記録領域１０２ｃへのデータ記録処理の前処理であるＲＥ層１０２へのフォーマット処理およびＯＰＣ処理が先になされた場合には、そのフォーマット処理およびＯＰＣ処理自体が無駄な処理となり、ユーザは、その無駄な時間を待つことになる。
【００９６】
光ディスク装置１およびその制御方法によれば、上記再生許可を示す再生許可情報の存在が確認できた場合にのみ、ユーザデータ記録領域１０２ｃへのデータ記録処理の実行を許可している。すなわち、当該データ記録処理の前処理であるＲＥ層１０２へのフォーマット処理およびＯＰＣ処理の実行よりも、ＲＯＭ層１０１に記録されたコンテンツまたはソフトウェアの再生許可判定というＲＯＭ層１０１の再生準備が優先される。
【００９７】
それゆえ、光ディスク１００を光ディスク装置１に挿入してから、ＲＯＭ層１０１に記録された再生許可情報を読み出し、ＲＯＭ層１０１に記録されたコンテンツまたはソフトウェアが再生許可状態にあるか否かを判定するまでにかかる時間を短縮できるとともに、上記のような無駄な処理を発生させ、ユーザに無駄な時間を待たせるといった状況を回避することができる。すなわち、ユーザの待ち時間を削減した処理方法を提供することができる。
【００９８】
また、光ディスク装置１は、ＲＯＭ層１０１に上記再生許可を示す再生許可情報が存在することを確認した上で、ユーザデータ記録領域１０２ｃへのデータ記録処理の実行許否を判断するため、その判断を行うときには再生許可情報を保持している必要がある。
【００９９】
一般に、光ディスクが光ディスク装置から排出された後には、当該光ディスクの情報は当該光ディスク装置側には保存されないので、ハイブリッドディスクではない光ディスクの場合には、そもそも上記のような処理を行おうとする技術的意義がないだけでなく、たとえ上記処理を行おうとしても、光ディスクの入れ替えを伴うため、再生許可情報を保持できず、当該処理を行うことができない。
【０１００】
つまり、光ディスク装置１が行う上記処理は、当該光ディスク装置１が記録または再生制御を行う対象が、ハイブリッドディスクである光ディスク１００であるからこそ可能な処理であり、かつ、技術的に意義のある処理であるといえる。
【０１０１】
〔本発明の別表現〕
なお、本発明は、以下のようにも表現できる。
【０１０２】
すなわち、本発明の一実施形態に係る記録再生装置は、再生専用領域と記録可能領域とを含む情報記録媒体に記録および／または再生を行う記録再生装置であって、上記再生専用領域に存在する、該再生専用領域のコンテンツの再生を許可する情報を判定する再生許可情報判定手段と、上記記録可能領域のユーザ記録領域へのコンテンツ記録実行の可否を判定するコンテンツ記録判定手段と、上記ユーザ記録領域へのコンテンツ記録を実行するコンテンツ記録実行手段とを含み、前記コンテンツ記録判定手段は、前記再生許可情報判定手段の判定情報を受け取り、前記判定情報が許可を示す情報である場合に、前記コンテンツ記録実行手段にコンテンツ記録実行を許可する情報を送る構成である。
【０１０３】
さらに、上記記録再生装置では、上記コンテンツ記録判定手段は、上記再生許可情報判定手段の判定情報と、コンテンツ記録指示部からのコンテンツ記録指示を受け取った後に判定を行うことが好ましい。
【０１０４】
さらに、上記記録再生装置では、上記コンテンツ記録指示部は、操作部からコンテンツ記録実行命令を受け取り、コンテンツ記録指示を上記コンテンツ記録判定手段に送ることが好ましい。
【０１０５】
さらに、上記記録再生装置では、上記コンテンツ記録判定手段は、上記再生許可情報判定手段の判定情報が不許可を示す情報の場合、コンテンツ記録指示部からのコンテンツ記録指示を受け取った後に、コンテンツ記録不可のメッセージを表示部に表示することが好ましい。
【０１０６】
さらに、本発明の一実施形態に係る記録再生方法は、再生専用領域と記録可能領域とを含む情報記録媒体の記録再生方法であって、上記再生専用領域に存在する、該再生専用領域のコンテンツの再生を許可する情報を判定する再生許可判定ステップと、上記記録可能領域のユーザ記録領域へのコンテンツ記録実行の可否を判定するコンテンツ記録判定ステップと、上記ユーザ記録領域のコンテンツ記録を実行するコンテンツ記録実行ステップとを含み、前記再生許可判定ステップは、前記コンテンツ記録判定ステップおよび前記コンテンツ記録実行ステップより先に行い、前記コンテンツ記録判定ステップは、前記再生許可判定ステップの判定が許可の場合に、コンテンツ記録実行を許可する方法である。
【０１０７】
〔補足〕
最後に、光ディスク装置１の各ブロック、特に制御部２０（データ記録指示部２１、再生許可情報判定部２２、データ記録判定部２３およびデータ記録判定部２４）は、ハードウェアロジックによって構成してもよいし、次のようにＣＰＵを用いてソフトウェアによって実現してもよい。
【０１０８】
すなわち、光ディスク装置１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである光ディスク装置１の制御プログラムのプログラムコード（実行形式プログラム、中間コードプログラム、ソースプログラム）をコンピュータで読み取り可能に記録した記録媒体を、前記光ディスク装置１に供給し、そのコンピュータ（又はＣＰＵやＭＰＵ）が記録媒体に記録されているプログラムコードを読み出し実行することによっても、達成可能である。
【０１０９】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【０１１０】
また、光ディスク装置１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１１１】
すなわち、光ディスク装置１は、コンピュータによって実現してもよく、この場合には、コンピュータを上記の各部として動作させることにより光ディスク装置１をコンピュータにて実現させる制御プログラムも本発明の範疇に入る。また、その制御プログラムを記録したコンピュータ読み取り可能な記録媒体も、本発明の範疇に入る。
【０１１２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１３】
本発明は、再生専用領域のコンテンツが正常に読み出すことができない状況における記録可能領域へのデータ記録処理の実行を確実に防止することができるので、例えば、再生専用領域および記録可能領域を併せ持ち、当該再生専用領域にコンテンツ等の複写制限された情報が記録されているハイブリッドディスクなどに好適に利用することができる。
【符号の説明】
【０１１４】
１        光ディスク装置（記録再生装置）
７        操作部
２１      データ記録指示部（データ記録指示手段）
２２      再生許可情報判定部（再生許可情報判定手段）
２３      データ記録判定部（データ記録判定手段）
２４      データ記録実行部（データ記録実行手段）
１００    光ディスク（情報記録媒体）
１０１    ＲＯＭ層（再生専用領域）
１０２    ＲＥ層（記録可能領域）
１０２ｃ  ユーザデータ記録領域
【図１】
2013251030.tif 000003
【図２】
2013251030.tif 000004
【図３】
2013251030.tif 000005
【図４】
2013251030.tif 000006
【図５】
2013251030.tif 000007
【図６】
2013251030.tif 000008